(57)【特許請求の範囲】
【請求項１】
車室内側に設けられ、荷重が入力されると荷重入力方向に弾性変形する弾性部材と、
車両前後方向及び車両上下方向の少なくとも一方向に沿って前記弾性部材に隣接して配置され、中空部が設けられると共に少なくとも前記弾性部材と対向する壁部に、車室内側から車室外側に向かって広がる傾斜部が設けられ、所定値以上の荷重が入力されると座屈変形する樹脂部材と、
前記樹脂部材及び前記弾性部材の少なくとも一方に設けられ、前記樹脂部材に所定値以上の荷重が入力されると、当該樹脂部材の少なくとも前記弾性部材と対向する壁部を前記中空部内へ座屈変形させる変形誘導部と、
を有する車両用衝撃吸収構造。
【請求項２】
車室外側から車室内側に沿った前記樹脂部材の断面形状が台形状を成し、
前記傾斜部が、車室外側に設けられた短辺部と前記短辺部と平行に対向し前記弾性部材側へ張り出した長辺部とを繋いで形成された請求項１に記載の車両用衝撃吸収構造。
【請求項３】
前記変形誘導部が、前記傾斜部に設けられた脆弱部である請求項１又は請求項２に記載の車両用衝撃吸収構造。
【請求項４】
前記変形誘導部が、前記傾斜部の傾斜方向の中央部に形成され前記中空部側へ屈曲する屈曲部である請求項１又は請求項２に記載の車両用衝撃吸収構造。
【請求項５】
前記変形誘導部が、前記傾斜部と対向する前記弾性部材の対向面に設けられ、前記樹脂部材の当該弾性部材側への変形を阻害する高剛性部である請求項１〜請求項３の何れか１項に記載の車両用衝撃吸収構造。
【請求項６】
車両側部のサイドドア内に設けられ、前記樹脂部材が車両側方から見てシートに着座した乗員の腰部に相当する位置に配置され、前記弾性部材が前記樹脂部材の車両前方側に配置された請求項１〜５の何れか１項に記載の車両用衝撃吸収構造。
【発明の詳細な説明】
【技術分野】
【０００１】
本発明は、車両側部のサイドドア内等に設けられる車両用衝撃吸収構造に関する。
【背景技術】
【０００２】
車両用の衝撃吸収部材として、硬質ウレタンフォームのパッド（以下、「ウレタンパッド」という）を用いた場合、荷重が入力されると、途中から一定荷重（反力）が得られるものの、初期荷重は低い。一方、車両用の衝撃吸収部材として、樹脂リブを用いた場合、荷重が入力されると、当該樹脂リブが座屈変形するまでは高荷重が得られるものの、座屈変形後は低荷重となる。
【０００３】
このため、特許文献１では、サイドドアの内側にウレタンパッド及び樹脂製の格子リブを配置し、これによって、お互いの弱点を補完するという技術が開示されている。
【先行技術文献】
【特許文献】
【０００４】
【特許文献１】特開平１０−４４８９６号公報
【発明の概要】
【発明が解決しようとする課題】
【０００５】
しかしながら、この格子リブにおいて、座屈する過程でウレタンパッド側に変形した場合、当該ウレタンパッドの変形が阻害され、ウレタンパッド本来の荷重変位特性が得られなくなる。
【０００６】
上記事実を考慮し、本発明は、弾性部材の近傍に樹脂部材を用いたとしても、樹脂部材によって弾性部材の変形が阻害されることなく、当該弾性部材本来の荷重変位特性が得られる車両用衝撃吸収構造を得ることが目的である。
【課題を解決するための手段】
【０００７】
上記目的を達成するために、請求項１に記載の車両用衝撃吸収構造は、車室内側に設けられ、荷重が入力されると荷重入力方向に弾性変形する弾性部材と、車両前後方向及び車両上下方向の少なくとも一方向に沿って前記弾性部材に隣接して配置され、中空部が設けられると共に少なくとも前記弾性部材と対向する壁部に、車室内側から車室外側に向かって広がる傾斜部が設けられ、所定値以上の荷重が入力されると座屈変形する樹脂部材と、前記樹脂部材及び前記弾性部材の少なくとも一方に設けられ、前記樹脂部材に所定値以上の荷重が入力されると、当該樹脂部材の少なくとも前記弾性部材と対向する壁部を前記中空部内へ座屈変形させる変形誘導部と、を有する。
【０００８】
請求項１に記載の車両用衝撃吸収構造では、車室内側に弾性部材が設けられており、荷重が入力されると当該弾性部材が荷重入力方向に弾性変形する。この弾性部材には、車両前後方向及び車両上下方向の少なくとも一方向に沿って樹脂部材が隣接して配置されている。樹脂部材には、中空部が設けられると共に少なくとも弾性部材と対向する壁部に、車室内側から車室外側に向かって広がる傾斜部が設けられており、当該樹脂部材は、所定値以上の荷重が入力されると座屈変形する。そして、樹脂部材及び弾性部材の少なくとも一方には変形誘導部が設けられており、樹脂部材に所定値以上の荷重が入力されると、当該樹脂部材の少なくとも弾性部材と対向する壁部を中空部内へ座屈変形させる。
【０００９】
弾性部材は、荷重が入力されると、途中の段階から一定荷重（反力）が得られるものの、途中の段階までは緩やかに荷重が上昇するため、初期の段階では得られる荷重が低いという特徴を持っている。一方、樹脂部材は、荷重が入力されると、初期の段階から急激に荷重（反力）が上昇して、当該樹脂部材を構成する壁部が座屈変形するまでは高荷重が得られるものの、当該壁部の座屈変形後は低い荷重で一定となるという特徴を持っている。このため、入力荷重に対する反力を得るための反力部材として、弾性部材と樹脂部材とを組み合わせて用いることで、お互いの弱点を補完することができる。
【００１０】
その一方で、弾性部材と樹脂部材とを隣接させて配置した場合、樹脂部材が弾性部材側へ座屈変形すると、弾性部材の変形（弾性変形）が阻害されてしまう。しかし、本発明の車両用衝撃吸収構造では、樹脂部材は少なくとも弾性部材と対向する壁部に、車室内側から車室外側に向かって広がる傾斜部が設けられている。また、樹脂部材及び弾性部材の少なくとも一方に変形誘導部が設けられ、樹脂部材に所定値以上の荷重が入力されると、当該変形誘導部によって、樹脂部材の少なくとも弾性部材と対向する壁部が中空部内へ座屈変形する。つまり、壁部が中空部内へ座屈変形するためのきっかけを与える。これにより、樹脂部材の弾性部材側への座屈変形が防止され、弾性部材は本来の荷重変位特性を維持することができる。
【００１１】
したがって、本発明の車両用衝撃吸収構造では、荷重が入力された初期の段階から樹脂部材により高い反力が得られ、弾性部材による反力の増大により、途中の段階では、高い反力が維持されることとなる。そして、樹脂部材が座屈変形し反力が低くなった状態でも、弾性部材による高い反力の維持によって、本発明の車両用衝撃吸収構造による荷重変位特性（ＦＳ特性）では、理想とされる矩形型に近い波形を得ることができる。
【００１２】
請求項２に記載の車両用衝撃吸収構造は、請求項１に記載の車両用衝撃吸収構造において、車室外側から車室内側に沿った前記樹脂部材の断面形状が台形状を成し、前記傾斜部が、車室外側に設けられた短辺部と前記短辺部と平行に対向し前記弾性部材側へ張り出した長辺部とを繋いで形成されている。
【００１３】
請求項２に記載の車両用衝撃吸収構造では、車室外側から車室内側に沿った前記樹脂部材の断面形状が台形状を成しており、車室外側には短辺部が設けられ、当該短辺部と平行に対向する長辺部は弾性部材側へ張り出し、短辺部と長辺部とを繋いで傾斜部が形成されている。これにより、樹脂部材の短辺部へ荷重が入力されると、弾性部材と対向する傾斜部の一端部（短辺部側）には、荷重の入力方向に沿って長辺部へ向かう荷重が入力され、傾斜部には当該傾斜部の他端部（長辺部側）を支点として弾性部材から離間する方向へ向かうモーメントが発生することとなる。これによって、当該傾斜部を樹脂部材の中空部内へ座屈変形させることができる。
【００１４】
請求項３に記載の車両用衝撃吸収構造は、請求項１又は請求項２に記載の車両用衝撃吸収構造において、前記変形誘導部が、前記傾斜部に設けられた脆弱部である。
【００１５】
請求項３に記載の車両用衝撃吸収構造では、傾斜部に脆弱部を設けることで当該脆弱部に沿って傾斜部が屈曲し易くなり、また、当該脆弱部が設けられた部位は他の部位よりも破断し易くなる。つまり、傾斜部において屈曲させる位置を特定すると共に、傾斜部が破断する方向を特定することができる。
【００１６】
請求項４に記載の車両用衝撃吸収構造は、請求項１又は請求項２に記載の車両用衝撃吸収構造において、前記変形誘導部が、前記傾斜部の傾斜方向の中央部に形成され前記中空部側へ屈曲する屈曲部である。
【００１７】
請求項４に記載の車両用衝撃吸収構造では、樹脂部材の傾斜部が、中空部側へ屈曲する屈曲部を有するため、当該屈曲部を介して傾斜部は折り畳まれるようにして中空部内で変形する。
【００１８】
請求項５に記載の車両用衝撃吸収構造は、請求項１〜請求項３の何れか１項に記載の車両用衝撃吸収構造において、前記変形誘導部が、前記傾斜部と対向する前記弾性部材の対向面に設けられ、前記樹脂部材の当該弾性部材側への変形を阻害する高剛性部である。
【００１９】
請求項５に記載の車両用衝撃吸収構造では、樹脂部材の傾斜部と対向する弾性部材の対向面に高剛性部が設けられている。これにより、樹脂部材の傾斜部が弾性部材側へ変形しようとしても、当該高剛性部によって、傾斜部の弾性部材側への変形が阻害されることとなる。
【００２０】
請求項６に記載の車両用衝撃吸収構造は、請求項１〜５の何れか１項に記載の車両用衝撃吸収構造において、車両側部のサイドドア内に設けられ、前記樹脂部材が車両側方から見てシートに着座した乗員の腰部に相当する位置に配置され、前記弾性部材が前記樹脂部材の車両前方側に配置されている。
【００２１】
請求項６に記載の車両用衝撃吸収構造では、乗員の腰部において、荷重が入力された初期の段階で、樹脂部材によって高い反力が得られるようにすることができると共に、腰部から大腿部に亘って、荷重が入力された初期の段階から連続して反力を得ることができる。
【発明の効果】
【００２２】
以上説明したように、請求項１に記載の車両用衝撃吸収構造によれば、弾性部材の近傍に樹脂部材を用いたとしても、当該弾性部材本来の荷重変位特性を得ることができる、という優れた効果を有する。
【００２３】
請求項２に記載の車両用衝撃吸収構造によれば、樹脂部材の構成によって、樹脂部材の傾斜部の座屈方向を特定することができる、という優れた効果を有する。
【００２４】
請求項３に記載の車両用衝撃吸収構造によれば、樹脂部材の傾斜部の破断位置及び破断の方向を特定することができる、という優れた効果を有する。
【００２５】
請求項４に記載の車両用衝撃吸収構造によれば、樹脂部材の構成によって、樹脂部材の傾斜部の座屈方向を特定することができる、という優れた効果を有する。
【００２６】
請求項５に記載の車両用衝撃吸収構造によれば、弾性部材の構成によって、樹脂部材の壁部の座屈方向を特定することができる、という優れた効果を有する。
【００２７】
請求項６に記載の車両用衝撃吸収構造によれば、乗員の腰部の位置などに合わせて、反力部材の特性を変えて効果的に衝撃を吸収することができる、という優れた効果を有する。
【図面の簡単な説明】
【００２８】
【図１】本実施形態に係る車両用衝撃吸収構造を模式的に示す、図４のＡ−Ａ線断面図であり、荷重が入力される前の状態が示されている。
【図２】本実施形態に係る車両用衝撃吸収構造を模式的に示す、図４のＡ−Ａ線断面図であり、荷重が入力された状態が示されている。
【図３】（Ａ）はウレタンパッドの荷重変位特性を示すグラフ、（Ｂ）は樹脂ボックスの荷重変位特性を示すグラフであり、（Ｃ）はウレタンパッドと樹脂ボックスを組み合わせた場合の荷重変位特性を示すグラフである。
【図４】本実施形態に係る車両用衝撃吸収構造が適用されたドアトリムの車室内側から見た正面図である。
【図５】本実施形態に係る車両用衝撃吸収構造のその他の実施形態（１）を模式的に示す、図１に対応する断面図である。
【図６】本実施形態に係る車両用衝撃吸収構造のその他の実施形態（２）を模式的に示す、（Ａ）は図１に対応する断面図であり、（Ｂ）は図２に対応する断面図である。
【図７】本実施形態に係る車両用衝撃吸収構造のその他の実施形態（３）を模式的に示す、（Ａ）は図１に対応する断面図であり、（Ｂ）は図２に対応する断面図である。
【図８】本実施形態に係る車両用衝撃吸収構造のその他の実施形態（４）を模式的に示す、（Ａ）は図１に対応する断面図であり、（Ｂ）は図２に対応する断面図である。
【図９】本実施形態に係る車両用衝撃吸収構造のその他の実施形態（５）を模式的に示す、図１に対応する断面図である。
【図１０】本実施形態に係る車両用衝撃吸収構造が適用されたニーボルスターを示す縦断面図である。
【発明を実施するための形態】
【００２９】
以下、図１〜図４を用いて、本発明の車両用衝撃吸収構造１１が適用されたサイドドア１０について説明する。なお、各図において、矢印ＵＰは車両上方向を示し、矢印ＩＮは車幅方向内側を示し、矢印ＦＲは車両前方向を示している。
【００３０】
（車両用衝撃吸収構造の構成）
図４には、車室内側から見たドアトリム１２の正面図が示されている。サイドドア１０は、図示はしないが、ドア外板を構成するドアアウタパネルと、このドアアウタパネルの車幅方向内側に配置されドア内板を構成するドアインナパネルと、を備え、ドアインナパネルの車幅方向内側には、サイドドア１０の車室側面（内装）を構成するドアトリム１２が配置されている。
【００３１】
このドアトリム１２は、パネル状に形成されており、図示しない樹脂製のクリップ等によってドアインナパネルに固定されている。ドアトリム１２の中央部は車室内側に突出しており、突出した段差部分の上面に位置する略水平面がドアアームレスト１４となっている。なお、このドアアームレスト１４上に、サイドドア１０に設けられたサイドガラス（図示省略）を昇降させるためのパワーウィンドスイッチ１６などが設けられている。
【００３２】
また、図１には、図４のＡ−Ａ線断面図が模式的に示されている。図１及び図４に示されるように、ドアトリム１２の裏面の、図示はしないがシートに着座した乗員の腰部に相当する位置には、樹脂部材として中空部１７を有する樹脂ボックス１８がドアトリム１２と一体に成形されている。ここで、シートは車両前後方向に沿ってスライド可能となっているため、当該樹脂ボックス１８は、シートがスライド可能な範囲において、当該シートに着座した乗員の腰部に相当する位置に設けられることが望ましい。
【００３３】
そして、樹脂ボックス１８と隣接して当該樹脂ボックス１８の車両前方には、シートに着座した乗員の大腿部に相当する位置に、弾性部材としての例えば硬質ウレタンフォーム製のウレタンパッド２０がドアトリム１２の裏面に取り付けられている。
【００３４】
樹脂ボックス１８は、図１に示されるように、圧縮子２１による荷重の入力方向（矢印Ａ方向）に沿った断面形状が等脚台形状を成しており、車幅方向外側（車室外側）の辺が短辺部２２となるように設定されている。この短辺部２２と略平行に対向する車幅方向内側（車室内側）の辺が、ウレタンパッド２０側へ張り出す長辺部２４（ドアトリム１２の一部）となるように設定されている。
【００３５】
そして、ウレタンパッド２０側に位置する、短辺部２２の一端部と長辺部２４の一端部は傾斜部２６によって架け渡され、短辺部２２の他端部と長辺部２４の他端部は、傾斜部２８によって架け渡されている。また、傾斜部２６、２８の車幅方向の略中央には、傾斜部２６、２８の外面（中空部１７とは反対側の面）に、変形誘導部として、断面形状が略Ｖ字状を成すノッチ３０が車両高さ方向に沿って形成されている。
【００３６】
一方、図１及び図４に示されるように、ウレタンパッド２０は略直方体状を成しており、樹脂ボックス１８の傾斜部２６と対向する、ウレタンパッド２０の対向面３２には、樹脂ボックス１８の傾斜部２６と略平行に形成された傾斜面が設けられている。なお、ここでは、ウレタンパッド２０の対向面３２と樹脂ボックス１８の傾斜部２６との間には隙間が設けられているが、この隙間はなくても良い。他の実施形態においても同様である。
【００３７】
（車両用衝撃吸収構造の作用・効果）
図１及び図４に示されるように、ドアトリム１２の裏面の、シート（図示省略）に着座した乗員の腰部に相当する位置には樹脂ボックス１８が設けられ、樹脂ボックス１８の車両前方には、当該樹脂ボックス１８に隣接してウレタンパッド２０が設けられている。
【００３８】
ここで、図３（Ａ）にはウレタンパッド２０（図１参照）の荷重変位特性（ＦＳ特性）が示されている。これによると、ウレタンパッド２０は、荷重が入力されると、途中の段階（ｂ）から一定荷重（反力）が得られるものの、途中の段階までは緩やかに荷重が上昇するため、初期の段階（ａ）では得られる荷重が低いという特徴を持っている。
【００３９】
また、図３（Ｂ）には樹脂ボックス１８（図１参照）の荷重変位特性が示されている。これによると、樹脂ボックス１８は、荷重が入力されると、初期の段階から急激に荷重（反力）が上昇して、当該樹脂ボックス１８を構成する傾斜部２６、２８が座屈変形する（ａ）までは高荷重が得られるものの、当該傾斜部２６、２８の座屈変形後（ｂ）は低い荷重で一定となるという特徴を持っている。
【００４０】
以上のことから、入力荷重に対する反力を得るための反力部材として、図１に示されるように、ウレタンパッド２０と樹脂ボックス１８とを組み合わせて使うことで、お互いの弱点を補完することができる。
【００４１】
図３（Ｃ）には、衝撃吸収構造として、ウレタンパッド２０と樹脂ボックス１８を組み合わせた場合の荷重変位特性が示されている。これによると、本実施形態では、荷重が入力された初期の段階（ａ）から樹脂ボックス１８により高い反力が得られ、ウレタンパッド２０による反力の増大により、途中の段階（ｂ）では、高い反力が維持されることとなる。そして、樹脂ボックス１８が座屈変形し反力が低くなった状態でも、ウレタンパッド２０による高い反力の維持によって、荷重変位特性では理想とされる矩形型に近い波形が得られることが分かる。
【００４２】
ところで、ウレタンパッド２０と樹脂ボックス１８とを隣接させて配置した場合、樹脂ボックス１８がウレタンパッド２０側へ座屈変形すると、ウレタンパッド２０の弾性変形が阻害され、ウレタンパッド本来の荷重変位特性が得られなくなってしまう。このため、本実施形態では、圧縮子２１による荷重の入力方向（矢印Ａ方向）に沿った樹脂ボックス１８の断面形状が台形状を成し、車幅方向外側の辺が短辺部２２に設定され、短辺部２２と平行に対向する車幅方向内側の辺がウレタンパッド２０側へ張り出す長辺部２４となるように設定されている。
【００４３】
これによると、短辺部２２へ荷重が入力されると、傾斜部２６、２８には、長辺部２４との接合部Ｐ、Ｑを支点として樹脂ボックス１８の中空部１７内へ向かうモーメント（矢印Ｍ方向）がそれぞれ発生する。これにより、図２に示されるように、当該傾斜部２６、２８を樹脂ボックス１８の中空部１７内へ座屈変形させることができる。
【００４４】
また、ここでは、図１に示されるように、樹脂ボックス１８の互いに対向する傾斜部２６、２８の車幅方向の略中央には、傾斜部２６、２８の外面に、さらに、断面略Ｖ字状のノッチ３０が車両高さ方向に沿って形成されている。このように、ノッチ３０を設けることで、傾斜部２６、２８が屈曲し易くなる。また、当該ノッチ３０が設けられた部位は脆弱部となるため、他の部位よりも破断し易くなる。つまり、傾斜部２６、２８において屈曲させる位置を特定すると共に、傾斜部２６、２８が破断する方向を特定することができる。
【００４５】
このように、樹脂ボックス１８の形状によって、樹脂ボックス１８の座屈方向を特定すると共に、傾斜部２６、２８において屈曲させる位置を特定することで、樹脂ボックス１８のウレタンパッド２０側への座屈変形及び破断が防止され、ウレタンパッド２０は本来の荷重変位特性を維持することができる。
【００４６】
したがって、図示しないシートに着座した乗員の腰部において、圧縮子２１により荷重が入力された初期の段階で、樹脂ボックス１８によって高い反力が得られると共に、腰部から大腿部に亘って、荷重が入力された初期の段階から連続して反力を得ることができ、効果的に衝撃を吸収することができる。
【００４７】
なお、以上の構成では、図１に示されるように、樹脂ボックス１８の断面を等脚台形状としたが、少なくとも樹脂ボックス１８の傾斜部２６がウレタンパッド２０側へ座屈変形しないようにすることができれば良いため、傾斜部２６側のみに傾斜面を設けても良い。また、傾斜部２６、２８には、断面形状が略Ｖ字状を成すノッチ３０が形成されているが、変形誘導部としての脆弱部を設けることができれば良いため、ノッチ３０の断面形状については、略Ｖ字状に限るものではない。例えば、断面形状が略Ｕ字状であっても良い。また、ノッチ３０は、傾斜部２６側のみに設けても良いが、当該ノッチ３０は必ずしも必要ではない。さらに、本実施形態では、樹脂ボックス１８はドアトリム１２と一体に成形されているが、この樹脂ボックス１８はドアトリム１２と別体に設けられ、当該ドアトリム１２に取り付けられるようにしても良い。
【００４８】
（その他の実施形態）
（１）本実施形態では、図１に示されるように、樹脂ボックス１８の断面を等脚台形状としたが、樹脂ボックスの形状はこれに限るものではない。例えば、図５に示されるように、樹脂ボックス３４の傾斜部３６、３８に、変形誘導部として、中空部４２内へ屈曲する屈曲部４０を設け、当該傾斜部３６、３８を予め屈曲させても良い。
【００４９】
これにより、圧縮子２１により樹脂ボックス３４に所定値以上の荷重が矢印Ａ方向に沿って入力されると、傾斜部３６、３８は当該屈曲部４０を介して折り畳まれるようにして変形する。つまり、樹脂ボックス３４の傾斜部３６、３８は中空部４２内へ座屈変形することとなる。
【００５０】
（２）また、上記以外にも、変形誘導部がウレタンパッド２０側に設けられても良い。例えば、図６（Ａ）に示されるように、樹脂ボックス１８と対向するウレタンパッド２０の対向面３２の車幅方向の略中央に、ウレタンパッド２０の他の部位よりも剛性が高くなるように高剛性部４４（例えば、ボルト等の金属を取り付けても良い）を設けても良い。
【００５１】
これにより、樹脂ボックス１８の傾斜部２６がウレタンパッド２０の対向面３２側へ変形しようとしても、当該高剛性部４４によって、ウレタンパッド２０側への座屈変形が阻害されることとなる。このため、図６（Ｂ）に示されるように、樹脂ボックス１８の傾斜部２６は、中空部１７内へ座屈変形することとなる。なお、この場合、傾斜部２６を屈曲し易くするため、当該傾斜部２６の内面側（中空部１７側）にノッチを設けても良い。
【００５２】
（３）さらに、図７（Ａ）に示されるように、ウレタンパッド２０の対向面３２の車幅方向の略中央に段差部４６を設け、樹脂ボックス１８の長辺部２４側で、ウレタンパッド２０の対向面３２を樹脂ボックス１８の傾斜面２６から離間させるようにする。これにより、ウレタンパッド２０の対向面３２において、圧縮子２１による荷重の入力方向（矢印Ａ方向）に沿って、樹脂ボックス１８の傾斜部２６に対する硬度（反力）を変えることができる。
【００５３】
これによると、樹脂ボックス１８の傾斜部２６がウレタンパッド２０の対向面３２側へ座屈変形しようとしたとき、当該樹脂ボックス１８の長辺部２４側よりも短辺部２２側で反力が大きくなり、図７（Ｂ）に示されるように、傾斜部２６の車幅方向の略中央部で当該傾斜部２６を中空部１７内へ屈曲させるきっかけを与えることができる。なお、傾斜部２６の内面側（中空部１７側）にノッチを設けても良いのは勿論のことである。
【００５４】
（４）さらにまた、図８（Ａ）に示されるように、樹脂ボックス１８の傾斜部２６の長辺部２４との接合部Ｐにおいて、ウレタンパッド２０側に支持部４８を設けても良い。圧縮子２１により樹脂ボックス１８の短辺部２２へ荷重が入力（矢印Ａ方向）されると、傾斜部２６では当該支持部４８によって、傾斜部２６のウレタンパッド２０側への座屈変形が抑制され、図８（Ｂ）に示されるように、当該傾斜部２６を樹脂ボックス１８の中空部１７内へ座屈変形させることができる。
【００５５】
（５）以上の実施形態では、樹脂ボックス１８の車両前方に、当該樹脂ボックス１８に隣接してウレタンパッド２０を取り付けたが、図９に示されるように、中空部５０が設けられた樹脂ボックス５２の中空部５０内にウレタンパッド５４を充填させるようにしても良い。なお、ここでは、樹脂ボックス５２の水平断面を略六角形状に形成しているが、この形状に限るものではない。
【００５６】
ところで、以上の実施形態において、ウレタンパッド２０の構成については特に限定するものではない。このため、荷重の入力方向に沿って硬度が異なるようにしても良い。この場合、複数のパッドで構成されたものであって良いし、単一のパッド構成されたものであっても良い。
【００５７】
また、樹脂ボックス１８は、図１に示されるように、荷重の入力方向（矢印Ａ方向）に沿って断面形状が台形状を成す形状としたが、矢印Ａ方向に沿って中空部１７内にリブを複数形成させても良い。これにより、当該樹脂ボックス１８の強度及び剛性を調整することができる。
【００５８】
さらに、上記の実施形態では、樹脂ボックス１８はドアトリム１２と一体に成形されているが、この樹脂ボックス１８はドアトリム１２と別体に設けられ、当該ドアトリム１２に取り付けられるようにしても良い。また、以上の実施形態では、車両用衝撃吸収構造がサイドドアに適用された例について説明したが、この車両用衝撃吸収構造の他の部材において適用されても良い。
【００５９】
例えば、図１０に示されるように、インストルメントパネル５５に設けられたニーボルスター５６への適用が挙げられる。この場合、図示しないインパネリインホースメントに固定されたブラケット５８の車両上部側であって、シートに着座している乗員の膝に相当する位置に樹脂ボックス１８が配置され、当該ブラケット５８の下部側にウレタンパッド２０が配置されている。このように、乗員の膝の位置に合わせて、反力部材の硬度を変えることで、効果的に衝撃を吸収することができる。
【００６０】
さらに、上記の実施形態では、車両前後方向又は車両上下方向に沿って、ウレタンパッド２０及び樹脂ボックス１８を配置したが、車両前後方向及び車両上下方向に沿って、ウレタンパッド２０及び樹脂ボックス１８を配置しても良い。
【符号の説明】
【００６１】
１０      サイドドア
１１      車両用衝撃吸収構造
１２      ドアトリム
１７      中空部
１８      樹脂ボックス（樹脂部材）
２０      ウレタンパッド（弾性部材）
２２      短辺部
２４      長辺部
２６      傾斜部（壁部）
２８      傾斜部（壁部）
３０      ノッチ（脆弱部、変形誘導部）
３２      対向面
３４      樹脂ボックス
３６      傾斜部（壁部）
４０      屈曲部（変形誘導部）
４２      中空部
４４      高剛性部（変形誘導部）
４６      段差部（変形誘導部）
４８      支持部（変形誘導部）
５０      中空部
５２      樹脂ボックス（樹脂部材）
５４      ウレタンパッド（弾性部材）
５６      ニーボルスター
【図１】
0005556672.tif 000002
【図２】
0005556672.tif 000003
【図３】
0005556672.tif 000004
【図４】
0005556672.tif 000005
【図５】
0005556672.tif 000006
【図６】
0005556672.tif 000007
【図７】
0005556672.tif 000008
【図８】
0005556672.tif 000009
【図９】
0005556672.tif 000010
【図１０】
0005556672.tif 000011